(57)【特許請求の範囲】
【請求項１】
超音波の発信と受信をする送受波器と、前記送受波器を保持するための送受波器保持部と、前記送受波器の信号を処理・制御し、表示パネルに表示するための本体部とを備え、前記送受波器保持部は、略Ｔ字または略逆三角の形状をし、その上方両端部には釣糸を摺動自在に通す糸掛部を設け、その中央下部には前記送受波器を回転保持する回転保持部を設け、前記送受波器の超音波発信方向が垂直下方から水平方向に設定できるように回動可能に取付けられる構成とした魚群探知器。
【発明の詳細な説明】
【技術分野】
【０００１】
本発明は、コンパクトで簡便に使用できる携帯用の魚群探知器に関するものである。
【背景技術】
【０００２】
魚群の位置を探査するために、魚群探知機と称される超音波探査装置が使用されてきた。従来の魚群探知機は、これを搭載している船舶の下方の水中に超音波を放射し、魚群などの物体によって発生した反射波を受信し、この受信反射波の物体までの往復の伝播所要時間からこの反射物体までの距離を算定するように構成されており、その超音波は指向角度をもって発信されるので、円錐状の範囲内は探知できる。船舶を移動させながらの探知は、その軌跡の垂直下方の限られた範囲の水中情報（魚群）のみを得るものである。
【０００３】
また、船舶を利用しない波止場や磯での釣りにおいて、コンパクトで簡便に使用できる魚群探知器としての一例として特許文献１に記載されたものが知られている。以下、その魚群探知器について図７を参照しながら説明する。特許文献１に記載された魚群探知器は、超音波送受波器１０３と、ガイド竿１０５の手元部に固定される探知器本体１０１と、超音波送受波器１０３からの受波信号を探知器本体１０１に伝達する信号伝達手段とを備えている。超音波送受波器１０３は、ガイド竿１０５により案内される糸１０６に取付けられ、かつこの糸１０６に取付けられた浮き１０７により水中に吊持され、超音波を水中に放射しその反射波を捕捉する。探知器本体１０１は、内部に制御回路を収納し、操作表示面１０２に、前記超音波送受波器１０３からの受波信号に基づいて水中画像を表示するディスプレイ画面１０４と、操作キー１０８とを配設している。そして操作キー１０８により、ガイド竿１０５の操作情報（超音波送受波器１０３の走査方向情報）と探知した水中情報を一致させて表示することを特徴としている。
【０００４】
つまり船舶の場合と同様に、ガイド竿１０５を操作し、浮き１０７を水面において前後左右に移動させ、浮き１０７により水中に吊持された超音波送受波器１０３の下面から海底へ向けて超音波を放射し、浮き１０７の真下の水中情報を得るものである。
【特許文献１】特許第３４９０５８９号公報
【発明の開示】
【発明が解決しようとする課題】
【０００５】
このような従来の魚群探知器では、浮き１０７に吊下げられた超音波送受波器１０３は水中で下方を向いており、得られる水中情報（魚群）はあくまでもガイド竿１０５で操作される浮き１０７の位置における超音波の指向角度範囲内の下方情報のみである。
【０００６】
浮き１０７を移動させるにはガイド竿１０５を前後左右に操作し糸１０６を操らなければならない。そのためには操作には限界があり移動範囲が限定されるうえに、どこにいるか分からない魚群の上方に浮き１０７を配置することは、感と偶然に頼らざるを得ない。
【０００７】
魚群はどこにいるか分からないので、ガイド竿１０５で操作できる範囲以上の広い範囲の探知も必要であり、船舶の場合は移動機能を有しているが、船舶を利用しない前記の従来例においては、浮き１０７に推進機能と遠隔操縦機能を付加することが考えられるが、コストが高くなるうえ装備が大きくなり、確実に魚群の上方に操作できるとは限らない。
【０００８】
したがって、従来の魚群探知器では、釣竿の届かない広い範囲の探知においては、特にコンパクトで簡便に確実に魚群の位置を知ることができないという課題を有していた。
【０００９】
本発明は、このような従来の課題を解決するものであり、装備が大きくなることなくコンパクトで簡便に釣竿の届かない広い範囲も探知ができ、感と偶然に頼らず確実に魚群の位置を知ることができる魚群探知器を提供することを目的としている。
【課題を解決するための手段】
【００１０】
前記課題を解決するために本発明の魚群探知器は、超音波の発信と受信をする送受波器と、前記送受波器を保持するための送受波器保持部と、前記送受波器との信号を処理・制御し、表示パネルに表示するための本体部とを備え、前記送受波器保持部は、略Ｔ字または略逆三角の形状をし、その上方両端部には釣糸を摺動自在に通す糸掛部を設け、その中央下部には前記送受波器を回転保持する回転保持部を設け、前記送受波器の超音波発信方向が垂直下方から水平方向に設定できるように回動可能に取付けられる構成としたものである。本発明の構成とすることによって、送受波器の真下の水中情報を得るだけでなく側方の水中情報を得るものである。
【発明の効果】
【００１１】
本発明によれば、送受波器を送受波器保持部に対して回動可能とすることにより、音波発信方向は、垂直下方だけでなく少なくとも水平方向にも設定できる。そこで送受波器の真下の水中情報だけでなく水平側方の水中情報を得ることができる。また送受波器の方向を水平方向に保ったまま、その水平面上において送受波器保持部の方向を変えることにより、水平方向のあらゆる方向の探知が可能となり、釣人が扇の要位置で扇を開くように水平方向の探知をすれば、反応のあった方向とその測定距離により極座標として魚群の位置が認識できる。超音波は指向角度をもって発信され、その円錐状の範囲内を探知できるので遠方ほど広い範囲の情報が得られる。
【００１２】
さらに、反応のあった方向で送受波器を水中で上下させることにより、その探知状況により魚群のタナ位置（水深）を知ることもできる。逆に水深上層での水平探知で反応がない場合、徐々に送受波器を下げて中層・下層での水平探知をすることにより、感と偶然に頼らない確実な探知ができる。
【００１３】
また、タナ位置を知る他の方法として、送受波器の方向は回動可能であるので、水平方向を向けていた送受波器の音波発信方向を、例えば４５度下に向けての探知状況の変化からタナ位置を知ることもできる。釣竿の届く範囲においては、従来どおり垂直下方に向けての詳細なタナ位置を知ることもできる。
【００１４】
つまり、送受波器を回動可能とした送受波器保持部を備えて水平方向の探知ができる本発明の魚群探知器を使うことで、大きな装備は不要でコンパクトで携帯可能な機器でありながら、釣竿や棒の届く操作範囲以上のより広い範囲の探知が簡便にでき、感と偶然に頼らない確実な水中情報を得ることができる。
【発明を実施するための最良の形態】
【００１５】
本発明の実施の形態においては、超音波の発信と受信をする送受波器と、前記送受波器を保持するための送受波器保持部と、前記送受波器の信号を処理・制御し、表示パネルに表示するための本体部とを備え、前記送受波器保持部は、前記送受波器の超音波発信方向が少なくとも水平方向にも設定できるように回動可能に取付けられる。本発明の構成とすることによって、送受波器の真下の水中情報を得るだけでなく、側方の水中情報を得ることができ、大きな装備は不要でコンパクトで携帯可能な機器でありながら、釣竿や棒の届く操作範囲以上のより広い範囲の探知が簡便にでき、確実な水中情報を得ることができるという効果がある。
【００１６】
この表示パネルとしては、探知距離が設定または複数の探知距離から選定することができ、その探知距離内の物体を探知し表示する様式（探知距離固定モード）と、水深を測定しその水深範囲内の物体を探知し表示する様式（探知距離測定モード）とを、選択して表
示できるように構成していてもよい。
【００１７】
このようにすると、より広い範囲の情報を得るための水平方向の探知の場合は、探知距離を設定または選定する様式（探知距離固定モード）を選択してその範囲内の魚群を探知し表示できる。この水平方向の探知において水底が浅い場合や送受波器を深く沈めた場合に、音波の指向角度内で水底を探知するときは、魚群と区別し水底位置も表示できる。また、水底を測定しその水深範囲内の物体を探知し表示する様式（探知距離測定モード）も選択できるので、従来どおりの送受波器の方向を垂直下方に向けての探知もできる。このように、釣場に合せて回動可能である送受波器の方向を設定でき、そして最適な表示様式を選択できるので、より多くのより広い範囲の情報を得ることができる。
【００１８】
また、送受波器保持部としては、その形状は略Ｔ字状または略逆三角状をし、その上方両端部には釣糸を摺動自在に通す糸掛部を設け、その中央下部には送受波器を回転保持する回転保持部を設けた構成でもよい。その糸掛部は、通した釣糸の周辺をガイドする形状であり、Ｏ字形状または螺旋形状または逆Ｊ字を互いに合わせた逆Ｕ字形状としたものであってもよい。
【００１９】
このようにすると、送受波器保持部は、上方両端部に設けた２ヵ所の糸掛部の一方から他方に釣糸を通し、一端を釣竿の中央部から他端を釣竿の先端から吊下げ、両端の釣糸の間隔を空けて釣竿から吊下げることができるので、送受波器保持部の上方両端部は釣糸の巻付きや絡みが無く、釣竿の方向と一致させることができる。また、その中央下部には送受波器を回転保持するので、低重心で安定して釣糸に吊下げることができる。
【００２０】
糸掛部は、釣糸を摺動自在に通して釣竿から吊下げているので、釣竿の先端を上げたり下げたりして糸掛部両端の釣糸の長さが変化しても、釣糸が滑り重心バランスをとった状態で送受波器を設定した方向を常に保つことができ、安定した探知ができる。また、釣糸をリールに巻いておき、釣糸を巻上げたり送出したりしても、釣糸は糸掛部を摺動するので重心バランスをとった状態で設定した方向を常に保ちながら送受波器を上下させることができる。これは側方にいる魚群のタナ（水深）を探るうえで有効である。
【００２１】
送受波器を水平方向に設定した状態で釣竿の方向を変えると、水平方向を保ったまま送受波器の方向が変わり、あらゆる方向の水中側方情報を得ることができる。釣竿の方向と送受波器の方向を一致させて取付けることにより、反応のあった釣竿の方向と探知した距離により極座標として、魚群の位置が認識できる。
【００２２】
さらに、本体部は、電源としての電池を収納し携帯用に小形化するとともに、その背面に回動自在のスタンドを設けた構成にしてもよい。このようにすると、本体部を立てることができ、スタンドの回動位置によりその傾きを変えることができ、表示パネルをより見やすい角度に調整ができ、見誤ることなく確実な情報が得られる。
【００２３】
以下本発明の実施の形態について、図面を参照しながら説明する。
【００２４】
（実施の形態１）
図１は、本発明の実施の形態１における送受波器１を送受波器保持部２に取付け、釣竿９から釣糸１０により吊下げた状態を示す全体図であり、図１（ａ）は側面図、図１（ｂ）は上面図である。図１（ａ）において、本体部５は、魚群探知器としての本体であり、コード８を経由して送受波器１の信号を処理・制御し、受信反射波の物体までの往復の伝播所要時間から反射物体までの距離を算定し、その結果を表示パネル６に表示する。リール１３に巻かれた釣糸１０は、釣竿９の途中まで釣竿９の糸ガイドに通された後、送受波器保持部２の上方両端部に設けた２ヵ所の糸掛部３ａ・３ｂの一方から他方に通り、釣竿
９の先端に取付けられる。送受波器保持部２は、その両端の釣糸１０の間隔を空けて釣竿９から吊下げた状態となり、かつ釣竿９の先端方向と一致しているため、糸巻付きや糸絡みすることもない。また、糸掛部３ａ・３ｂは、釣糸１０を摺動自在に通して釣竿９から吊下げているので、釣糸１０を巻上げたり送出しても、釣糸１０は滑り糸掛部３ａ・３ｂの２点で重心バランスをとった状態は維持され、水中に位置する送受波器１の設定した方向を常に保つことができる。水平方向を向けた送受波器１は、図におけるＡ位置でも深さの違うＢ位置でも水平方向を保つ。
【００２５】
図１（ｂ）において、水中の送受波器１の方向を水平方向に保ったまま水平面において送受波器保持部２の方向を変えることにより、水平方向のあらゆる方向の探知が可能となり、釣人が扇の要位置で扇を開くように釣竿９を動かし水平方向の探知をすれば、反応のあった方向とその測定距離により極座標として、物体の１つとしての魚群の位置が認識できる。
【００２６】
図２（ａ）、（ｂ）は、本発明の実施の形態１における送受波器１を送受波器保持部２に取付けた状態を示す正面図、側面図である。図２（ａ）において、送受波器１は、前面から超音波を水中へ放射しその反射波を受信する検知部であり、アーム１ａを有している。送受波器保持部２は、送受波器１を回動可能に保持し、超音波の放射方向を垂直下方から水平方向に設定する保持部品であり、形状は略Ｔ字状をし、その上方両端部には釣糸１０を摺動自在に通す糸掛部３ａ・３ｂを設け、その中央下部には送受波器１を回転保持する回転保持部４を設けている。回転保持部４と送受波器１のアーム１ａとは、取付ビス１１と締付ナット１２により取付けられる。送受波器１は、送受波器保持部２に対して、取付ビス１１を回転軸として図のように回動可能であり、締付ナット１２の締付けにより設定した方向で固定される。
【００２７】
図３は、本発明の実施の形態１における送受波器１を送受波器保持部２に取付け、釣糸１０により水中で吊下げた状態を示す全体図であり、図３（ａ）は水面付近での使用状態、図３（ｂ）は水底付近での使用状態、図３（ｃ）は送受波器１を４５°下方を向けた使用状態、図３（ｄ）は送受波器１を垂直下方を向けた使用状態を示す全体図である。図３において、超音波は指向角度をもって発信され、水面付近で送受波器１を水平方向で使用すると、指向角度の範囲内で水面の波等を探知してしまうので、図３（ａ）のように送受波器１を指向角度の約１／２の角度分下方に向けるのが良く、水底付近では、図３（ｂ）のように上方を向けるのが良い。また、釣竿９の届く範囲の探知においては、図３（ｄ）のように垂直下方を向けて使用でき、釣竿９の届く範囲外の近傍の探知においては図３（ｃ）のように斜め下方を向けて使用できる。
【００２８】
このように、多様な釣条件に合わせて、送受波器１の方向を設定し釣糸１０を巻上げたり送出しても、釣糸１０は滑りながら糸掛部３ａ・３ｂの２点において重心バランスをとるので、送受波器１の設定した方向を常に保つことができるものである。
【００２９】
図４は、本発明の実施の形態１における本体部５の外観図と表示パネルの一部拡大図であり、図４（ａ）は本体部５の正面図、図４（ｂ）は本体部５の側面図である。図４（ａ）において、本体部５は、表示パネル部６と操作ボタン部７を有し、操作ボタン部７は本体部５の機能を設定・選択でき、その内容は表示パネル６に表示される。本体部５は、探知距離が設定または複数の探知距離から選定することができ、その探知距離内の物体としての魚群や水底を探知し表示する様式（探知距離固定モード）と、水深を測定しその水深範囲内の物体としての魚群や水底を探知し表示する様式（探知距離測定モード）とを、操作ボタン部７により機能選択でき、その選択した様式に対応して表示パネル６に表示する。
【００３０】
一実施例として、モード切替ボタン７ａにより、（探知距離測定モード）→（探知距離３０ｍ固定モード）→（探知距離２０ｍ固定モード）→（探知距離１０ｍ固定モード）が切替・選択でき、その内容が表示パネル部６の距離表示部６ａとモード表示部６ｂに表示される。水底として測定できない水平方向の探知のときは、探知距離固定モードを選定し、その範囲内の魚群を魚影位置表示部６ｃと魚影位置経過表示部６ｄに表示する。ただし、探知距離固定モードにおいて、水平方向の探知において水底が浅い場合や送受波器を深く沈めた場合に、探知距離範囲内で水底を探知したとき（例：図２（ａ）のＢ位置）は、魚群（魚形表示）と区別して水底位置を底表示６ｅ（波形表示）として表示できる。
【００３１】
その他の魚探としての機能（電源入／切、感度調整、アラーム入／切、照明入／切）についても、操作ボタン部７により機能選択でき、その選択した機能に対応して表示パネル６に表示する（詳細説明は略する）。
【００３２】
図４（ｂ）において、本体部５の背面内部に電池１４を収納しており、電池ふた１６を下方へ摺動させて外し、電池交換ができる。また背面には回転軸部１５ａを中心としてスタンド１５を回動自在に設けている。、設置部１５ｂを接地させることにより、本体部５を立てることができる。スタンド１５の回動位置により本体部５の傾きを変えて、表示パネル６をより見やすい角度に調整ができる。
【００３３】
また、スタンド１５の不使用時においては、本体部５に設置部１５ｂが密着するよう回動させる。このとき、設置部１５ｂは電池ふた１６の下部に近接しており、電池ふた１６の下方への摺動を阻害する位置となるので、電池ふた１６は不用意に外れない。
【００３４】
なお、スタンド１５は、単に地面などに置いて使用するだけでなく、釣竿９に取付けて、使用してもよい。スタンド１５の設置部１５ｂを釣竿９との取付部とすることで表示パネル６をより見やすい角度に調整ができる。
【００３５】
図５は、本発明の実施の形態１における糸掛部３の他の実施例を示す外観図であり、図５（ａ）は螺旋形状の糸掛部、図５（ｂ）は逆Ｕ字の糸掛部を示す。図５（ａ）において、糸掛部３ａ’・３ｂ’は螺旋形状をしている。前記糸掛部３ａ・３ｂは、Ｏ字形状の穴に糸を通したが、この場合の送受波器保持部２の取外しは、釣糸１０の端を釣竿９から解く必要がある。送受波器保持部２の取外しを容易にするため、Ｏ字の一部を切欠いたＣ字形状または逆Ｊ字形状にすれば（図示しない）、不用意に釣糸１０が外れ易いので、糸掛部は通した釣糸１０の周辺をガイドできる形状が必要である。糸掛部３ａ’・３ｂ’の形状を螺旋状にし、送受波器保持部２の上方両端部にお互いに向い合せるように取付けることにより、通した釣糸１０の周辺をガイドし、かつ釣糸１０を摺動自在に通すことができるので、不用意に釣糸１０が外れることなく探知ができる。さらに、釣糸１０を螺旋形状の隙間３ｃ’に沿ってなぞることにより、糸掛部を釣糸１０から外せるので、釣糸１０を釣竿９から解くことなく送受波器保持部の取外しが容易にできるものである。また、送受波器保持部２が吊下げられているときは、釣糸１０は螺旋状糸掛部３ａ’・３ｂ’の間を引張られているので、螺旋形状の隙間３ｃ’に沿うことはなく釣糸１０が外れることはない。
【００３６】
図５（ｂ）において、糸掛部３ａ”・３ｂ”は、逆Ｊ字を互いに合わせた逆Ｕ字形状をしており、送受波器保持部２の上方両端部にお互いに向い合せるように取付けることにより、通した釣糸１０の周辺をガイドし、かつ釣糸１０を摺動自在に通すことができるので、不用意に糸が外れることはなく探知ができる。さらに、逆Ｊ字の合わせ面の隙間３ｃ”に沿って釣糸１０を外せるので、釣糸１０を釣竿９から解くことなく送受波器保持部の取外しが容易にできるものである。また、送受波器保持部２が吊下げられているときは、釣糸１０は逆Ｕ字形状糸掛部３ａ”・３ｂ”の間を引張られているので、合わせ面の隙間３
ｃ”に沿うことはなく釣糸１０が外れることはない。
【００３７】
（実施の形態２）
図６は、本発明の実施の形態２における送受波器１を送受波器保持部Ｂ１７に取付け、棒材２０に送受波器保持部Ｂ１７を固定した状態を示す全体図である。図６において、送受波器保持部Ｂ１７は、送受波器１を回動可能に保持し、超音波の放射方向を垂直下方から水平方向に設定する保持部品であり、形状は略ト字状をし、その上下両端部には棒材２０に固定される取付部１８を設け、その中央側部には送受波器１を回転可能に保持する回転保持部Ｂ１９を設けており、回転保持部Ｂ１９と送受波器１のアーム１ａとを取付ビス１１と締付ナット１２により取付けられる。送受波器１は、送受波器保持部Ｂ１７に対して、実施の形態１と同様に取付ビス１１を回転軸として回動可能であり、締付ナット１２の締付けにより設定した方向に固定される。
【００３８】
魚群探知器の実施の形態１においては、釣竿９から釣糸１０により送受波器保持部２を吊下げた状態で、送受波器１を水平方向に向けて水中に浸け、水平側方を探知できる構成のものを記載したが、魚群探知器の実施の形態２において、棒材２０の先端に取付けができるように、送受波器保持部Ｂ１７に固定用取付部Ｂ１９を設けた構成のものでも、送受波器１を棒材２０の軸方向に対してほぼ直角方向に向けて、水中に浸けて水平方向が探知でき、棒材２０を回転させ方向を変えることにより扇状に広い範囲の水中情報を得ることができ、棒材２０を上下させることにより、同等のタナ位置の探知ができる。
【産業上の利用可能性】
【００３９】
この発明における魚群探知器は、釣具としての実施例で本発明を説明した。本発明は、コンパクトで簡便にあらゆる方向の水中探知に使用できるので、簡易な監視用機器としても利用できる。感知精度を上げることで、濁った水中の探索にも利用できる。
【図面の簡単な説明】
【００４０】
【図１】（ａ）本発明の実施の形態１における送受波器を送受波器保持部に取付け、釣竿から釣糸により吊下げた状態を示す側面図（ｂ）同状態の上面図
【図２】（ａ）本発明の実施の形態１における送受波器を送受波器保持部に取付けた状態を示す正面図（ｂ）同状態の側面図
【図３】（ａ）同発明の実施の形態における送受波器を送受波器保持部に取付け、釣糸により水面付近で吊下げた状態を示す全体図（ｂ）同発明の実施の形態における送受波器を送受波器保持部に取付け、釣糸により水底付近で吊下げた状態を示す全体図（ｃ）同発明の実施の形態における送受波器を送受波器保持部に取付け、釣糸により送受波器１を４５°下方を向けて吊下げた状態を示す全体図（ｄ）同発明の実施の形態における送受波器を送受波器保持部に取付け、釣糸により送受波器１を垂直下方を向けて吊下げた状態を示す全体図
【図４】（ａ）同発明の実施の形態における本体部５の正面図と表示パネルの一部拡大図（ｂ）同発明の実施の形態における本体部５の側面図
【図５】（ａ）同発明の実施の形態における螺旋形状の糸掛部の実施例を示す外観図（ｂ）同本発明の実施の形態における逆Ｕ字形状の糸掛部の実施例を示す外観図
【図６】本発明の実施の形態２における送受波器を送受波器保持部Ｂに取付け、棒材に送受波器保持部Ｂを固定した状態を示す全体図
【図７】従来の魚群探知器の構成を示す全体図
【符号の説明】
【００４１】
１      送受波器
１ａ    アーム
２      送受波器保持部
３ａ、３ｂ  糸掛部
３ａ’、３ｂ’  螺旋状糸掛部
３ｃ’  螺旋形状の隙間
３ａ”、３ｂ”  逆Ｕ字形状糸掛部
３ｃ”  合わせ面の隙間
４      回転保持部
５      本体部
６      表示パネル
６ａ    距離表示部
６ｂ    モード表示部
６ｃ    魚影位置表示部
６ｄ    魚影位置経過表示部
６ｅ    底表示
７      操作ボタン部
７ａ    モード切替ボタン
８      コード
９      釣竿
１０    釣糸
１１    取付ビス
１２    締付ナット
１３    リール
１４    電池
１５    スタンド
１５ａ  回転軸部
１５ｂ  設置部
１６    電池ふた
１７    送受波器保持部Ｂ
１８    取付部
１９    回転保持部Ｂ
２０    棒材
【図１】
0004802695.tif 000002
【図２】
0004802695.tif 000003
【図３】
0004802695.tif 000004
【図４】
0004802695.tif 000005
【図５】
0004802695.tif 000006
【図６】
0004802695.tif 000007
【図７】
0004802695.tif 000008